(57)【要約】【課題】  ころ軸受を偏心軸に容易に組み付けることができると共に、ころが脱落することを確実に防止することができる。【解決手段】  複数のころ２と、ころ２を円周方向に保持する保持器３とからなる針状ころ軸受１に対して、ころ２の内周側を支持するスリーブ２２を備え、スリーブ２２でころ２を支持した状態で針状ころ軸受１を軸に組み付けるころ脱落防止具２１であって、スリーブ２２の外周面の周方向複数箇所に軸方向に延びる凹溝２４を形成し、ころ２が収容される凹溝２４を、ころ２の外周面と同等の曲率半径を持つ凹曲面で構成する。【選択図】    図３
2018031420.tif 000002
【特許請求の範囲】
【請求項１】
複数のころと、前記ころを円周方向に保持する保持器とからなるころ軸受に対して、前記ころの内周側および外周側の少なくとも一方を支持するスリーブを備え、前記スリーブでころを支持した状態で前記ころ軸受を軸に組み付けるころ脱落防止具であって、
前記スリーブのころ接触面の周方向複数箇所に軸方向に延びる凹溝を形成し、前記ころが収容される凹溝を、前記ころの外周面と同等の曲率半径を持つ凹曲面で構成したことを特徴とするころ脱落防止具。
【請求項２】
前記スリーブは、合成樹脂製である請求項１に記載のころ脱落防止具。
【請求項３】
複数のころと、前記ころを円周方向に保持する保持器と、前記ころの内周側および外周側の少なくとも一方を支持するスリーブとを備えたスリーブ付ころ軸受であって、
前記スリーブのころ接触面の周方向複数箇所に軸方向に延びる凹溝を形成し、前記ころが収容される凹溝を、前記ころの外周面と同等の曲率半径を持つ凹曲面で構成したことを特徴とするスリーブ付ころ軸受。
【発明の詳細な説明】
【技術分野】
【０００１】
本発明は、複数のころと保持器とからなるころ軸受に対して、ころの脱落を防止するためのころ脱落防止具およびスリーブ付ころ軸受に関する。
【背景技術】
【０００２】
例えば、自動車や各種産業機械などに使用されるころ軸受には、軸やギヤ内径を直接転走面にするために内輪および外輪を備えていないころ軸受がある。保持器の柱部を外径側のみに配置することでころ本数を多く配置できる代わりに、内径側にころが脱落してしまう仕様のころ軸受がある。
【０００３】
この種のころ軸受１は、図８および図９に示すように、複数のころ２と、ころ２を円周方向に保持する円筒状の保持器３とからなる。保持器３は、その周方向に沿って複数のポケット４が形成されると共に、軸方向両端部から径方向内側に延設された一対のフランジ部５を有する。ころ２は、保持器３のポケット４に転動可能に保持されている。
【０００４】
以上のような構成からなるころ軸受１では、図８に示すように、保持器３のポケット４の周方向幅がころ２の直径寸法よりも小さくなっている。このことから、ころ２が保持器３の外周側に抜け出すことはない。
【０００５】
一方、保持器３の両フランジ部５間の内幅寸法は、図９に示すように、ころ２の転動を許容するためにころ２の軸方向長さより若干長くなっている。また、ころ本数を多くするために内径側に柱部がない保持器構造のため、ころ軸受１を軸に組み付けるまでの取り扱い時に、ころ２が保持器３の内周側に脱落してしまうことになる。
【０００６】
そこで、ころ軸受１を軸に組み付ける直前までは、図１０〜図１２に示すように、ころ軸受１にころ脱落防止具１１を装着することにより、ころ２が保持器３の内周側に脱落することを防止する必要がある。図１０はころ軸受１にころ脱落防止具１１を装着した状態、図１１はころ脱落防止具１１、図１２は図１０のＲ−Ｒ線に沿う断面を示す。
【０００７】
従来のころ脱落防止具１１は、図１０〜図１２に示すように、ころ軸受１におけるころ２の内周側に所定の締め代でもって嵌め込まれるスリーブ１２を備えている（例えば、特許文献１の第４図参照）。スリーブ１２は、保持器３の内周側でころ２に接触してそのころ２を支持する。また、スリーブ１２は、その軸方向端部から径方向外側に延設されたフランジ部１３を有する。
【０００８】
ころ軸受１を軸１７に組み付ける直前までは、図１３に示すように、ころ脱落防止具１１において、ころ２の内周側にスリーブ１２を嵌め込むことによりそのスリーブ１２でころ２が支持され、フランジ部１３に保持器３のフランジ部５を当接させることにより保持器３が位置規制されている。このように、ころ２の内周側をスリーブ１２で支持することにより、ころ２が保持器３の内周側に脱落することを防止している。
【０００９】
ころ軸受１を軸１７に組み付けるに際しては、図１４に示すように、ころ脱落防止具１１において、軸１７の端部１５をスリーブ１２の軸方向端部１６に当接させて、その軸１７を図中の白抜き矢印方向に移動させる。これにより、スリーブ１２が軸１７によって押し出されることで、そのスリーブ１２がころ軸受１から抜ける。このようにして、図１５に示すように、ころ軸受１が軸１７に組み込まれる。
【先行技術文献】
【特許文献】
【００１０】
【特許文献１】実開平４−５６９２１号公報
【発明の概要】
【発明が解決しようとする課題】
【００１１】
ところで、従来のころ脱落防止具１１では、スリーブ１２の外周が全周に亘って均一な厚みを有する円筒面１４となっている（図１１および図１２参照）。ころ軸受１を軸１７に組み付ける場合、その軸１７が単一であれば、従来のころ脱落防止具１１を利用することにより、前述したように、ころ軸受１を軸１７に容易に組み付けることができる（図１３〜図１５参照）。
【００１２】
しかしながら、ころ軸受１を偏心軸に組み付ける場合、特に、図１６に示すように、スリーブ１２に軸１７を挿通させた上で、その軸１７に連設された偏心軸１８（偏心量Ｘ）にころ軸受１を組み付ける場合、従来のころ脱落防止具１１では、ころ軸受１を偏心軸１８に組み付けることが困難である。
【００１３】
つまり、ころ脱落防止具１１において、図１６に示すように、スリーブ１２が肉厚でその内径寸法が小さいと、スリーブ１２の軸方向端部１６が軸１７の端部１５に当接することでそのスリーブ１２に軸１７を挿通させることができず、その軸１７に連設された偏心軸１８にころ軸受１を組み付けることができない。
【００１４】
この偏心軸１８にころ軸受１を従来のころ脱落防止具１１により組み付けることを可能にするためには、スリーブ１２の内径寸法を大きくする必要がある。ここで、スリーブ１２の内径寸法を大きくすると、スリーブ１２の肉厚が薄くなり、ころ軸受１に対するスリーブ１２の嵌合力が低下する。
【００１５】
ころ軸受１に対するスリーブ１２の嵌合力が低下すると、ころ軸受１を偏心軸１８に組み付けるまでの搬送時および取り扱い時に、ころ軸受１からスリーブ１２が抜け落ちる可能性がある。このようなスリーブ１２の抜け落ちが発生すると、ころ２が保持器３の内周側に脱落してしまうことになる。
【００１６】
そこで、本発明は前述の問題点に鑑みて提案されたもので、その目的とするところは、ころ軸受の偏心軸への組み付けを容易にすると共に、ころの脱落を確実に防止し得るころ脱落防止具およびスリーブ付ころ軸受を提供することにある。
【課題を解決するための手段】
【００１７】
本発明に係るころ脱落防止具は、複数のころと、ころを円周方向に保持する保持器とからなるころ軸受に対して、ころの内周側および外周側の少なくとも一方を支持するスリーブを備え、スリーブでころを支持した状態でころ軸受を軸に組み付ける構造を具備する。
【００１８】
前述の目的を達成するための技術的手段として、本発明のころ脱落防止具は、スリーブのころ接触面の周方向複数箇所に軸方向に延びる凹溝を形成し、ころが収容された凹溝を、ころの外周面と同等の曲率半径を持つ凹曲面で構成したことを特徴とする。
【００１９】
本発明では、スリーブのころ接触面の周方向複数箇所に軸方向に延びる凹溝を形成し、ころが収容された凹溝を、ころの外周面と同等の曲率半径を持つ凹曲面で構成したことにより、ころ軸受を偏心軸に組み付けることが可能なようにスリーブの内径寸法を大きくすることができる。
【００２０】
このスリーブの内径寸法の拡大により、スリーブの肉厚が薄くなっても、隣接する凹溝間が厚肉であることから、ころとスリーブとの接触面積を増加させることができる。その結果、ころ軸受に対するスリーブの嵌合力が低下することを抑制できる。
【００２１】
本発明におけるスリーブは、合成樹脂製である構造が望ましい。このような構造を採用すれば、スリーブの弾性変形を利用することで、スリーブでころをしっかりと支持することができ、ころの脱落を確実に防止することが容易となる。
【００２２】
また、本発明は、複数のころと、ころを円周方向に保持する保持器と、ころの内周側および外周側の少なくとも一方を支持するスリーブとを備えたスリーブ付ころ軸受に有効である。このスリーブ付ころ軸受において、本発明は、スリーブのころ接触面の周方向複数箇所に軸方向に延びる凹溝を形成し、ころが収容された凹溝を、ころの外周面と同等の曲率半径を持つ凹曲面で構成したことを特徴とする。
【発明の効果】
【００２３】
本発明によれば、スリーブのころ接触面の周方向複数箇所に軸方向に延びる凹溝を形成し、ころが収容された凹溝を、ころの外周面と同等の曲率半径を持つ凹曲面で構成したことにより、ころ軸受を偏心軸に組み付けることが可能なようにスリーブの内径寸法を大きくすることができる。
【００２４】
このスリーブの内径寸法の拡大により、スリーブの肉厚が薄くなっても、隣接する凹溝間が厚肉であることから、ころとスリーブとの接触面積を増加させることができるので、ころ軸受に対するスリーブの嵌合力が低下することを抑制できる。
【００２５】
その結果、ころ軸受を偏心軸に組み付けるまでの搬送時および取り扱い時に、ころ軸受からスリーブが抜け落ちることを未然に防止でき、ころの脱落を確実に防止することができる。
【図面の簡単な説明】
【００２６】
【図１】本発明の実施形態で、ころ軸受にころ脱落防止具を装着した状態を示す断面図である。
【図２】図１のころ脱落防止具を示す斜視図である。
【図３】図１のＰ−Ｐ線に沿う断面図である。
【図４】図３の要部拡大図である。
【図５】図１のころ脱落防止具を使用してころ軸受を偏心軸に組み付ける前の状態を示す断面図である。
【図６】図１のころ脱落防止具を使用してころ軸受を偏心軸に組み付ける途中の状態を示す断面図である。
【図７】図１のころ脱落防止具を使用してころ軸受を偏心軸に組み付けた後の状態を示す断面図である。
【図８】ころおよび保持器からなるころ軸受を示す部分正面図である。
【図９】図８のＱ−Ｑ線に沿う断面図である。
【図１０】ころ軸受に従来のころ脱落防止具を装着した状態を示す断面図である。
【図１１】図１０のころ脱落防止具を示す斜視図である。
【図１２】図１０のＲ−Ｒ線に沿う断面図である。
【図１３】図１０のころ脱落防止具を使用してころ軸受を軸に組み付ける前の状態を示す断面図である。
【図１４】図１０のころ脱落防止具を使用してころ軸受を軸に組み付ける途中の状態を示す断面図である。
【図１５】図１０のころ脱落防止具を使用してころ軸受を軸に組み付けた後の状態を示す断面図である。
【図１６】図１０のころ脱落防止具を使用してころ軸受を偏心軸に組み付ける前の状態を示す断面図である。
【発明を実施するための形態】
【００２７】
本発明に係るころ脱落防止具およびスリーブ付ころ軸受の実施形態を図面に基づいて以下に詳述する。
【００２８】
以下の実施形態では、ころ脱落防止具を使用する対象物として、負荷容量を大きくすることで、保持器の内周側にころが脱落してしまう針状ころ軸受を例示する。なお、ころ脱落防止具を使用する対象物としては、針状ころ軸受に限定されることなく、円筒ころ軸受などの他のころ軸受であってもよい。
【００２９】
針状ころ軸受１は、図８および図９に示すように、複数のころ２と、ころ２を円周方向に保持する円筒状の保持器３とからなる。保持器３は、その周方向に沿って複数のポケット４が形成されると共に、軸方向両端部から径方向内側に延設された一対のフランジ部５を有する。ころ２は、保持器３のポケット４に転動可能に保持されている。
【００３０】
以上のような構成からなる針状ころ軸受１では、図８に示すように、保持器３のポケット４の周方向幅がころ２の直径寸法よりも小さくなっている。このことから、この実施形態における針状ころ軸受１では、ころ２が保持器３の外周側に抜け出すことはない。
【００３１】
一方、保持器３の両フランジ部５間の内幅寸法は、図９に示すように、ころ２の転動を許容するためにころ２の軸方向長さより若干長くなっている。そのため、針状ころ軸受１を軸に組み付けるまでの搬送時および取り扱い時に、ころ２が保持器３の内周側に脱落してしまうことになる。
【００３２】
そこで、針状ころ軸受１を偏心軸に組み付ける直前までは、図１〜図３に示すように、針状ころ軸受１にころ脱落防止具２１を装着することにより、ころ２が保持器３の内周側に脱落することを防止する必要がある。図１は針状ころ軸受１にころ脱落防止具２１を装着した状態、図２はころ脱落防止具２１、図３は図１のＰ−Ｐ線に沿う断面を示す。
【００３３】
この実施形態のころ脱落防止具２１は、図１〜図３に示すように、針状ころ軸受１におけるころ２の内周側に所定の締め代でもって嵌め込まれるスリーブ２２を備える。スリーブ２２は、保持器３の内周側でころ２に接触してそのころ２を支持する。また、スリーブ２２は、その軸方向端部から径方向外側に延設されたフランジ部２３を有する。
【００３４】
ころ脱落防止具２１は、図２および図３に示すように、スリーブ２２の外周面（ころ接触面）の周方向複数箇所に軸方向に延びる凹溝２４を形成し、その凹溝２４にころ２を収容した構造を具備する。この凹溝２４は、保持器３のポケット４と同一の配列ピッチでスリーブ２２の外周面に形成されている。
【００３５】
ころ２が収容された凹溝２４は、ころ２の外周面と同等の曲率半径を持つ凹曲面（凹円弧面）で構成されている。ここで、「ころ２の外周面と同等の曲率半径」とは、ころ２の外周面の曲率半径と完全同一の曲率半径だけでなく、ころ２の外周面の曲率半径と近似する曲率半径も含むことを意味する。
【００３６】
この実施形態のころ脱落防止具２１では、スリーブ２２の外周面の周方向複数箇所に軸方向に延びる凹溝２４を形成し、ころ２が収容される凹溝２４を、ころ２の外周面と同等の曲率半径を持つ凹曲面で構成したことにより、針状ころ軸受１を後述の偏心軸１８に組み付けることが可能なようにスリーブ２２の内径寸法を大きくすることができる。
【００３７】
このスリーブ２２の内径寸法の拡大により、図４に示すように、スリーブ２２の凹溝２４の底部での肉厚ｔが薄くなっても、隣接する凹溝２４の間での肉厚Ｔが厚いことから、ころ２とスリーブ２２との接触面積を増加させることができる。
【００３８】
その結果、針状ころ軸受１に対するスリーブ２２の嵌合力が低下することを抑制できる。そのため、針状ころ軸受１を偏心軸１８に組み付けるまでの搬送時や取り扱い時に、針状ころ軸受１からスリーブ２２が抜け落ちることを未然に防止でき、ころ２が保持器３の内周側に脱落することを確実に防止できる。
【００３９】
この実施形態では、前述の構成からなるころ脱落防止具２１を使用し、図５〜図７に示す要領でもって、内径寸法を大きくしたスリーブ２２に軸１７を挿通させた上で、その軸１７に連設された偏心軸１８（偏心量Ｘ）に針状ころ軸受１を組み付けることができる。
【００４０】
この軸１７に連設された偏心軸１８にころ脱落防止具２１を使用して針状ころ軸受１を組み付けることが可能なように、ころ脱落防止具２１のスリーブ２２の内径Ｄ1は、軸１７の直径Ｄ2よりも大きく、かつ、偏心軸１８の直径Ｄ3よりも小さく設定されている（Ｄ2＜Ｄ1＜Ｄ3）。
【００４１】
針状ころ軸受１を偏心軸１８に組み付ける直前までは、図５に示すように、ころ脱落防止具２１において、ころ２の内周側にスリーブ２２を嵌め込むことによりそのスリーブ２２でころ２が支持され、フランジ部２３に保持器３のフランジ部５を当接させることにより保持器３が位置規制されている。
【００４２】
この時、針状ころ軸受１のころ２は、スリーブ２２のころ接触面に凹溝２４が形成されてその凹溝２４の底部での肉厚ｔが薄くても、隣接する凹溝２４の間での肉厚Ｔが厚いことから、ころ２とスリーブ２２との接触面積を増加させている。
【００４３】
これにより、針状ころ軸受１に対するスリーブ２２の嵌合力が確保できているので、針状ころ軸受１からスリーブ２２が抜け落ちることを防止でき、ころ２が保持器３の内周側に脱落することを防止している。
【００４４】
針状ころ軸受１を偏心軸１８に組み付ける前段では、図５に示すように、ころ脱落防止具２１において、スリーブ２２の内径Ｄ1は、軸１７の直径Ｄ2よりも大きく、かつ、偏心軸１８の直径Ｄ3よりも小さく設定していることから、スリーブ２２に軸１７を挿通させることができる。
【００４５】
その軸１７に連設された偏心軸１８に針状ころ軸受１を組み付けるに際しては、図６に示すように、軸１７を挿通させたころ脱落防止具２１において、偏心軸１８の端部１９をスリーブ２２の軸方向端部１６に当接させて、その偏心軸１８を図中の白抜き矢印方向に移動させる。
【００４６】
これにより、スリーブ２２が偏心軸１８によって押し出されることで、そのスリーブ２２が針状ころ軸受１から抜ける。このようにして、図７に示すように、針状ころ軸受１が偏心軸１８に組み込まれる。
【００４７】
この場合、スリーブ２２は合成樹脂製であることが好ましい。これにより、スリーブ２２の弾性変形を利用することで、スリーブ２２の外周でころ２をしっかりと支持することができ、ころ２の脱落を確実に防止できるのが容易となる。
【００４８】
以上の実施形態では、ころ脱落防止具２１を使用する針状ころ軸受１として、保持器３の内周側にころ２が脱落してしまう針状ころ軸受１を例示したが、保持器３の外周側にもころ２が脱落してしまう場合には、図示しないが、ころ２の外周側を支持するスリーブを使用すればよい。このようなスリーブを備えたころ脱落防止具を使用することにより、ころ２が保持器３の外周側に脱落することを防止できる。
【００４９】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００５０】
１  ころ軸受（針状ころ軸受）
２  ころ
３  保持器
１８  軸（偏心軸）
２１  ころ脱落防止具
２２  スリーブ
２４  凹溝
【図１】
2018031420.tif 000003
【図２】
2018031420.tif 000004
【図３】
2018031420.tif 000005
【図４】
2018031420.tif 000006
【図５】
2018031420.tif 000007
【図６】
2018031420.tif 000008
【図７】
2018031420.tif 000009
【図８】
2018031420.tif 000010
【図９】
2018031420.tif 000011
【図１０】
2018031420.tif 000012
【図１１】
2018031420.tif 000013
【図１２】
2018031420.tif 000014
【図１３】
2018031420.tif 000015
【図１４】
2018031420.tif 000016
【図１５】
2018031420.tif 000017
【図１６】
2018031420.tif 000018